(57)【要約】【課題】優れた外観を有し、輸送・搬入作業および設置作業が容易であり、かつ設置後の強度が充分であると共に、組立・接合時間の短縮化を図ることが可能な大型スピーカ装置を提供すること。【解決手段】振動板２２と、振動板２２を表裏方向に振動させるための駆動体と、振動板２２を支持するために、振動板２２の裏側に配置される支持体２４と、を備えるスクリーンスピーカ２０を１つのユニットとし、複数のスクリーンスピーカ２０を保持することが可能な複数の開口領域１６を有する外フレーム１２の開口領域１６に当該スクリーンスピーカ２０をそれぞれ配置し、かつスクリーンスピーカの少なくとも２辺を外フレーム１２に接合することを特徴とする。【選択図】図４
2009267735.tif 000002
【特許請求の範囲】
【請求項１】
振動板と、
上記振動板を表裏方向に振動させるための駆動体と、
上記振動板を支持するために、上記振動板の裏側に配置される支持体と、
を備えるスクリーンスピーカを１つのユニットとし、複数の上記スクリーンスピーカを保持することが可能な複数の開口領域を有する外フレームの上記開口領域に当該スクリーンスピーカをそれぞれ配置し、かつ上記スクリーンスピーカの少なくとも２辺を上記外フレームに接合することを特徴とするスピーカ装置。
【請求項２】
前記支持体は、その外側部分に配置される枠形状を有する枠体を備えていることを特徴とする請求項１記載のスピーカ装置。
【請求項３】
前記外フレームは、
その外側部分に配置される枠形状を有する枠フレームと、
該枠フレームによって囲まれた内側領域を格子状に区分する仕切フレームと、
を有することを特徴とする請求項１または２記載のスピーカ装置。
【請求項４】
前記振動板は、前記支持体の外形寸法と同一、もしくは縦方向および横方向のそれぞれの寸法が前記支持体の寸法よりも２ｍｍの範囲内で小さく形成されていることを特徴とする請求項１から３のいずれか１項記載のスピーカ装置。
【請求項５】
前記スクリーンスピーカを前記外フレームの前記開口領域に配置した状態では、前記開口領域を囲む面と前記スクリーンスピーカの外周面との間に、縦方向および横方向のそれぞれにおいて１ｍｍ以内の隙間が形成されることを特徴とする請求項１から４のいずれか１項記載のスピーカ装置。
【請求項６】
前記振動板は、前記支持体の外形寸法より大きく形成され、前記支持体が前記振動板を支持した状態では、該振動板は前記支持体の外周面より外側にはみ出しており、そのはみ出し量は、前記枠フレームおよび前記仕切フレームにおける短手方向の幅寸法の半分以上であることを特徴とする請求項３または５記載のスピーカ装置。
【請求項７】
前記外フレームにおける表側の面は平面形状を呈しており、当該表側の面と、該外フレームと隣接して配置される前記スクリーンスピーカの前記振動板との間には、奥行方向の段差が形成され、当該段差の大きさは１ｍｍ以内であることを特徴とする請求項１から６のいずれか１項記載のスピーカ装置。
【請求項８】
前記支持体における縦方向および横方向の各辺の長さ寸法は、前記外フレームにおける前記開口領域の縦方向および横方向の各辺の長さ寸法よりも、それぞれ２ｍｍの範囲内で小さく形成され、前記開口領域に前記支持体を配置させて前記支持体と前記外フレームとの間に形成される隙間に充填部材を配置したことを特徴とする請求項１から７のいずれか１項記載のスピーカ装置。
【請求項９】
前記枠体のうちの少なくとも対向する２つの端面と、それらの外側に隣接して配置される前記外フレームとを、前記枠体が前記外フレームの側に向かって引っ張られるようにネジ止めし、もしくはネジと締結用金具を用いて締結することを特徴とする請求項２から８のいずれか１項記載のスピーカ装置。
【請求項１０】
前記外フレームの断面形状は、内部に中空部を有する四角形の筒形状を呈していることを特徴とする請求項１から９のいずれか１項記載のスピーカ装置。
【請求項１１】
前記外フレームの断面形状は、凹状の溝部が形成された凹状部の両開口端が内側に向かって所定の長さだけ折れ曲がった形態を有していることを特徴とする請求項１から９のいずれか１項記載のスピーカ装置。
【請求項１２】
前記外フレームの断面形状は、凹状の溝部が形成された凹形状を呈していることを特徴とする請求項１から９のいずれか１項記載のスピーカ装置。
【請求項１３】
前記外フレームの背面側には略矩形状の形態を有する背面部が設けられ、該背面部には、表裏方向に向かって貫通する抜け穴が設けられていることを特徴とする請求項１から１２のいずれか１項記載のスピーカ装置。
【請求項１４】
前記中空部もしくは前記溝部を有する前記外フレームの肉厚を２ｍｍ以上８ｍｍ以下としたことを特徴とする請求項１０から１３のいずれか１項記載のスピーカ装置。
【請求項１５】
正面視した場合の前記枠フレームおよび仕切フレームの短手方向の幅寸法は２０ｍｍ以上１５０ｍｍ以下であることを特徴とする請求項１０から１４のいずれか１項記載のスピーカ装置。
【請求項１６】
前記枠体のうちの少なくとも対向する２つの端面に設けられる枠用ネジ穴と、それらの外側に隣接して配置される前記外フレームに設けられる外用ネジ穴とが合わさるように、前記スクリーンスピーカを前記開口領域内に配置して、前記外フレームの中空部もしくは溝部から、上記枠用ネジ穴および外用ネジ穴にネジを螺入することによって、前記スクリーンスピーカを前記外フレームに固定することを特徴とする請求項１０から１５のいずれか１項記載のスピーカ装置。
【請求項１７】
前記外フレームは、前記開項領域に配置される前記スクリーンスピーカの外周縁近傍をその裏側において受け止める受止部を有し、該受止部は少なくとも前記スクリーンスピーカの対向する２辺の裏側を受け止めるように設けられており、上記受止部と前記スクリーンスピーカをネジ止めすることにより、前記スクリーンスピーカが前記外フレームに固定されることを特徴とする請求項１０から１６のいずれか１項記載のスピーカ装置。
【請求項１８】
前記外フレームにおける裏側の面と、該外フレームと隣接して配置される前記スクリーンスピーカの外周部近傍における裏側の面との奥行方向における互いの位置を位置決めすることが可能な位置決め部材を前記スクリーンスピーカにおける少なくとも対向する２箇所に設けたことを特徴とする請求項７記載のスピーカ装置。
【請求項１９】
前記外フレームにおける裏側の面と、該外フレームと隣接して配置される前記スクリーンスピーカの外周部近傍における裏側の面との奥行方向における互いの位置を位置調節することが可能な調節部材を前記スクリーンスピーカにおける少なくとも対向する２箇所に設けたことを特徴とする請求項７記載のスピーカ装置。
【請求項２０】
前記位置決め部材もしくは前記調節部材により、前記段差が０．５ｍｍ以内に矯正されることを特徴とする請求項１８または１９記載のスピーカ装置。
【請求項２１】
前記位置決め部材および前記調節部材は、前記外フレームおよび前記スクリーンスピーカに対して着脱可能に設けられていることを特徴とする請求項１８または１９記載のスピーカ装置。
【請求項２２】
前記外フレームを構成する材料と、前記支持体および前記振動板を構成する材料との熱膨張率の差が５０％以内であることを特徴とする請求項１から２１のいずれか１項記載のスピーカ装置。
【請求項２３】
前記外フレームを構成する材料と、前記支持体および前記振動板を構成する材料との湿度による膨張率の差が５０％以内であることを特徴とする請求項１から２１のいずれか１項記載のスピーカ装置。
【請求項２４】
前記外フレームを構成する材料は、前記支持体および前記振動板を構成する材料と主成分を同一とすることを特徴とする請求項１から２１のいずれか１項記載のスピーカ装置。
【請求項２５】
前記外フレーム、前記支持体および前記振動板を構成する材料はアルミニウム合金であることを特徴とする請求項１から２１のいずれか１項記載のスピーカ装置。
【請求項２６】
前記外フレームの前記中空部もしくは溝部に前記駆動部に接続される配線を収容したことを特徴とする請求項１０から１２のいずれか１項記載のスピーカ装置。
【請求項２７】
前記枠フレームを構成する４辺のうちの少なくとも１辺の裏面側に、略直方体形状の補強体を配設したことを特徴とする請求項３から２３のいずれか１項記載のスピーカ装置。
【発明の詳細な説明】
【技術分野】
【０００１】
本発明は、スピーカ装置に関する。
【背景技術】
【０００２】
近年、劇場や家庭に設置されるホームシアターシステムは、より迫力ある映像を提供するために、スクリーンの大型化が要求されている。特許文献１には、複数のスクリーンスピーカの端面同士を直接接合して、スクリーンの大型化を図っている大型スクリーンスピーカシステムが開示されている。
【０００３】
【特許文献１】特表２００１−５１５３３３（特許請求の範囲）
【発明の開示】
【発明が解決しようとする課題】
【０００４】
しかしながら、特許文献１に開示されている大型スクリーンスピーカシステムでは、スクリーンスピーカ同士の端面同士を直接接合しているが、２個もしくは４個のスクリーンスピーカであれば、寸法精度等の誤差がなく接合可能である。しかしながら、９個もしくは１６個等の数多くのスクリーンスピーカを接続して大型化を図る場合には、それぞれのスクリーンスピーカの寸法精度誤差が集積して接合部分にずれが生じるおそれがある。
【０００５】
また、数多くのスクリーンスピーカを接続する場合、全体の自重が大きくなるため、その自重を支持するために各スクリーンスピーカの強度を上げる必要がある。しかしながら、スクリーンスピーカの強度を上げようとすると、より強度の大きなスクリーンフレーム材を用いる必要があり、スクリーンフレーム材の重量が大きくなってしまう。その結果、スクリーンスピーカの輸送や組立作業が困難なものとなると共に、組立作業や接合作業に時間を要するといった問題が生じる。
【０００６】
本発明は、かかる問題に鑑みてなされたものであり、その目的とするところは、優れた外観を有し、輸送・搬入作業および設置作業が容易であり、かつ設置後の強度が充分であると共に、組立および接合時間の短縮化を図ることが可能な大型スピーカ装置を提供しようとするものである。
【課題を解決するための手段】
【０００７】
上記課題を解決するために、本発明は、振動板と、振動板を表裏方向に振動させるための駆動体と、振動板を支持するために、振動板の裏側に配置される支持体と、を備えるスクリーンスピーカを１つのユニットとし、複数のスクリーンスピーカを保持することが可能な複数の開口領域を有する外フレームの開口領域に当該スクリーンスピーカをそれぞれ配置し、かつスクリーンスピーカの少なくとも２辺を外フレームに接合するものである。
【０００８】
また、他の発明は、上述の発明に加えて更に、支持体は、その外側部分に配置される枠形状を有する枠体を備えているものである。
【０００９】
また、他の発明は、上述の発明に加えて更に、外フレームは、その外側部分に配置される枠形状を有する枠フレームと、該枠フレームによって囲まれた内側領域を格子状に区分する仕切フレームとを有するものである。
【００１０】
また、他の発明は、上述の発明に加えて更に、振動板は、支持体の外形寸法と同一、もしくは縦方向および横方向のそれぞれの寸法が支持体の寸法よりも２ｍｍの範囲内で小さく形成されているものである。
【００１１】
また、他の発明は、上述の発明に加えて更に、スクリーンスピーカを外フレームの開口領域に配置した状態では、開口領域を囲む面とスクリーンスピーカの外周面との間に、縦方向および横方向のそれぞれにおいて１ｍｍ以内の隙間を形成したものである。
【００１２】
さらに、他の発明は、上述の発明に加えて更に、振動板は、支持体の外形寸法より大きく形成され、支持体が振動板を支持した状態では、該振動板は支持体の外周面より外側にはみ出しており、そのはみ出し量を、枠フレームおよび仕切フレームにおける短手方向の幅寸法の半分以上としたものである。
【００１３】
また、他の発明は、上述の発明に加えて更に、外フレームにおける表側の面は平面形状を呈しており、表側の面と、該外フレームと隣接して配置されるスクリーンスピーカの振動板との間には奥行方向の段差が形成され、当該段差の大きさを１ｍｍ以内としたものである。
【００１４】
また、他の発明は、上述の発明に加えて更に、支持体における縦方向および横方向の各辺の長さ寸法は、外フレームにおける開口領域の縦方向および横方向の各辺の長さ寸法よりも、それぞれ２ｍｍの範囲内で小さく形成され、開口領域に支持体を配置させて支持体と外フレームとの間に形成される隙間に充填部材を配置したものである。
【００１５】
また、他の発明は、上述の発明に加えて更に、枠体のうちの少なくとも対向する２つの端面と、それらの外側に隣接して配置される外フレームとを、枠体が外フレームの側に向かって引っ張られるようにネジ止めし、もしくはネジと締結用金具を用いて締結するものである。
【００１６】
さらに、他の発明は、上述の発明に加えて更に、外フレームの断面形状は、内部に中空部を有する四角形の筒形状を呈しているものである。
【００１７】
また、他の発明は、上述の発明に加えて更に、外フレームの断面形状は、凹状の溝部が形成された凹状部の両開口端が内側に向かって所定の長さだけ折れ曲がった形態を有しているものである。
【００１８】
また、他の発明は、上述の発明に加えて更に、外フレームの断面形状は、凹状の溝部が形成された凹形状を呈しているものである。
【００１９】
また、他の発明は、上述の発明に加えて更に、外フレームの背面側には略矩形状の形態を有する背側部が設けられ、該背面部には、表裏方向に向かって貫通する抜け穴が設けられているものである。
【００２０】
さらに、他の発明は、上述の発明に加えて更に、中空部もしくは溝部を有する外フレームの肉厚を２ｍｍ以上８ｍｍ以下としたものである。
【００２１】
また、他の発明は、上述の発明に加えて更に、正面視した場合の枠フレームおよび仕切フレームの短手方向の幅寸法を２０ｍｍ以上１５０ｍｍ以下としたものである。
【００２２】
また、他の発明は、上述の発明に加えて更に、枠体のうちの少なくとも対向する２つの端面に設けられる枠用ボルト穴と、それらの外側に隣接して配置される外フレームに設けられる外用ボルト穴とが合わさるように、スクリーンスピーカを開口領域内に配置して、外フレームの中空部もしくは溝部から、枠用ボルト穴および外用ボルト穴にボルトを螺入することによって、スクリーンスピーカを外フレームに固定するものである。
【００２３】
また、他の発明は、上述の発明に加えて更に、外フレームは、開項領域に配置されるスクリーンスピーカの外周縁近傍をその裏側において受け止める受止部を有し、該受止部は少なくともスクリーンスピーカの対向する２辺の裏側を受け止めるように設けられており、受止部とスクリーンスピーカをネジ止めすることにより、スクリーンスピーカを外フレームに固定するものである。
【００２４】
また、他の発明は、上述の発明に加えて更に、外フレームにおける裏側の面と、該外フレームと隣接して配置されるスクリーンスピーカの外周部近傍における裏側の面との奥行方向における互いの位置を位置決めすることが可能な位置決め部材をスクリーンスピーカにおける少なくとも対向する２箇所に設けたものである。
【００２５】
さらに、他の発明は、上述の発明に加えて更に、外フレームにおける裏側の面と、該外フレームと隣接して配置されるスクリーンスピーカの外周部近傍における裏側の面との奥行方向における互いの位置を位置調節することが可能な調節部材をスクリーンスピーカにおける少なくとも対向する２箇所に設けたものである。
【００２６】
また、他の発明は、上述の発明に加えて更に、位置決め部材もしくは調節部材により、段差が０．５ｍｍ以内に矯正されるものである。
【００２７】
さらに、他の発明は、上述の各発明に加えて更に、位置決め部材および調節部材は、外フレームおよびスクリーンスピーカに対して着脱可能に設けられているものである。
【００２８】
また、他の発明は、上述の発明に加えて更に、外フレームを構成する材料と、支持体および振動板を構成する材料との熱膨張率の差を５０％以内としたものである。
【００２９】
さらに、他の発明は、上述の発明に加えて更に、外フレームを構成する材料と、支持体および振動板を構成する材料との湿度による膨張率の差を５０％以内としたものである。
【００３０】
また、他の発明は、上述の発明に加えて更に、外フレームを構成する材料は、支持体および振動板を構成する材料と主成分を同一とするものである。
【００３１】
さらに、他の発明は、上述の発明に加えて更に、外フレーム、支持体および振動板を構成する材料をアルミニウム合金としたものである。
【００３２】
また、他の発明は、上述の発明に加えて更に、外フレームの中空部もしくは溝部に駆動部に接続される配線を収容したものである。
【００３３】
さらに、他の発明は、上述の発明に加えて更に、枠フレームを構成する４辺のうちの少なくとも１辺の裏面側に、略直方体形状の補強体を配設したものである。
【発明の効果】
【００３４】
本発明によると、優れた外観を有し、輸送・搬入作業および設置作業が容易であり、かつ設置後の強度が充分であると共に、組立および接合時間の短縮化を図ることが可能な大型スピーカ装置を提供できる。
【発明を実施するための最良の形態】
【００３５】
（第１の実施の形態）
以下、本発明の第１の実施の形態に係るスピーカ装置１０について、図面を参照しながら説明する。なお、以下の説明（各実施の形態に共通）において、図１〜図１６に示す矢示Ｘ１方向を表、矢示Ｘ２方向を裏、矢示Ｙ１方向を左、矢示Ｙ２方向を右、矢示Ｚ１方向を上および矢示Ｚ２方向を下とそれぞれ規定する。
【００３６】
図１は、スピーカ装置１０の斜視図である。図２は、スクリーンスピーカ２０の分解斜視図である。
【００３７】
スピーカ装置１０は、図１に示すように、上下左右に配置される４台のスクリーンスピーカ２０と、その４台のスクリーンスピーカを保持する外フレーム１２とから主に構成されている。まず、スクリーンスピーカ２０の構成について説明する。
【００３８】
スピーカスピーカ２０は、直接駆動型のスピーカ装置であり、図２に示すように、外部からの影像を映し出す面を構成する振動板となるスクリーン２２と、スクリーン２２を支持する支持体となるフレーム２４と、スクリーン２２を振動させる駆動体と、から主に構成されている。なお、本実施の形態では、スクリーンスピーカ２０の寸法例として、縦幅８９５ｍｍ、横幅１６８２ｍｍおよび厚さ３５ｍｍを外形とするものが挙げられる。
【００３９】
フレーム２４は、図２に示すように、長方形の形状を有する枠部材となる枠体３０と、その枠体３０の内側に長方形の短手方向に沿って配置される仕切り３２とから構成されている。このように枠体３０は長方形の枠形状を有しているため、枠体３０の内側には前から見て略矩形状に開口する開口部３１が形成される。なお、枠体３０の縦幅および横幅は、スクリーンスピーカ２０の縦幅および横幅と略同一となっている。また、枠体３０および仕切り３２の材料として、アルミニウム合金Ａ６０６３が採用されている。しかしながら、枠体３０および仕切り３２の材料は、かかるアルミニウム合金に限定されるものではない。
【００４０】
枠体３０は、図２に示すように、当該枠体３０の長手方向を構成する２つの長手側枠３０ａ，３０ａと、枠体３０の短手方向を構成する２つの短手側枠３０ｂ，３０ｂとから構成されている。長手側枠３０ａおよび短手側枠３０ｂの断面形状は、中央に凹状の溝部を有する略凹形状を呈している（図７等参照）。仕切り３２は、上述したように、枠体３０の内側に短手方向に向かって２本配置され、開口部３１を長手方向に沿って等間隔に３分割している。これにより、フレーム２４内には、左右および中央のそれぞれに３つに分割された分割領域３４ａ，３４ｂ，３４ｃが形成される。また、仕切り３２の両端の端面は共に、長手側枠３０ａにネジ止め等の方法により接合されており、フレーム２４の強度を向上させる役割を果たしている。
【００４１】
また、各分割領域３４ａ，３４ｂ，３４ｃ内には、フレーム２４の長手方向に沿って支柱３６が配置されている。支柱３６は、各分割領域３４ａ，３４ｂ，３４ｃを上下に２分割するように配置されている。支柱３６は、上下方向に幅広な角柱形状（すなわち、薄板に近い柱形状）を有している。また、支柱３６の両端の端面は、短手側枠３０ｂおよび仕切り３２にネジ止め等の方法により接合されている。また、本実施の形態では、支柱３６の材料として、アルミニウム合金が採用されている。しかしながら、支柱３６の材料はアルミニウム合金に限定されるものではない。
【００４２】
図２に示すように、各支柱３６のうちそれぞれの分割領域３４ａ，３４ｂ，３４ｃの左右方向略中央であって各支柱３６の表側には、駆動体の一部を構成する磁気回路３８が配設されている。磁気回路３８は、ホルダ（不図示）と、マグネット（不図示）から構成されている。
【００４３】
スクリーン２２は、略矩形状の形態を有しており、その外周面が、枠体３０の外周面に沿うように、フレーム２４の表側に取り付けられる。スクリーン２２の外周面は、枠体３０からはみ出すことなく、フレーム２４の上に取り付けられる。このスクリーン２２は、枠体３０および仕切り３２との間に接着剤を介在させて固定される。なお、スクリーン２２の上下方向および左右方向のそれぞれの寸法は枠体３０のそれぞれの寸法よりも２ｍｍの範囲内で小さく形成するのが好ましい。なお、本実施の形態では、スクリーン２２の寸法例として、縦幅８９４．５ｍｍ、横幅１６８１．５ｍｍおよび厚さ２ｍｍのものを挙げることができる。すなわち、枠体３０の上下方向および左右方向の寸法よりもそれぞれ０．５ｍｍだけ小さなものとなっている。また、スクリーン２２の材料としては、アルミニウム合金Ａ５０５２を採用することができる。しかしながら、スクリーン２２の材料はアルミニウム合金に限定されるものではなく、種々の振動特性・反射特性を考慮して、それらに最適な材料を選択可能である。
【００４４】
また、スクリーン２２の裏面における磁気回路３８と対応する位置には、駆動体の一部を構成する不図示のボイスコイルが配置されている。当該ボイスコイル（不図示）は、所定の寸法のコイルボビンに、コイル線を巻きつけることにより形成されている。このボイスコイル（不図示）は磁気回路３８と協働してスクリーン２２を振動させる。また、駆動体として、磁気回路３８およびボイスコイル（不図示）ではなく、圧電素子等を採用しても良い。
【００４５】
図３は、スピーカ装置１０の筐体となる外フレーム１２の斜視図である。図４は、外フレーム１２を部分的に示す背面図である。図５は、スピーカ装置１０を組み立てる工程の概略を示す図であり、スピーカ装置１０を外フレーム１２に配置する工程を示す図である。図６は、スピーカ装置１０の平面図であり、スクリーンスピーカ２０と外フレーム１２との間に段差Ｂが生じた場合を示す図である。図７は、スクリーンスピーカ２０と外フレーム１２との間に生じた隙間Ａに充填部材３９を配置したスピーカ装置１０を部分的に示す平面断面図である。
【００４６】
上述したように、スピーカ装置１０は、基本的には、１つのユニットとなるスクリーンスピーカ２０を、後述する外フレーム１２の開口領域１６ａ，１６ｂ，１６ｃ，１６ｄに４台配置することによって構成される。スピーカ装置１０の外形寸法は、例えば、縦幅１９００ｍｍ、横幅３３５０ｍｍ、厚さ５０ｍｍに設けることができる。しかしながら、スピーカ装置１０の外形寸法は、当該値に限られるものではない。
【００４７】
図３に示すように、外フレーム１２は、長方形の枠形状を有する枠フレーム１４と、その内側の空間を略十字状に区分けして４つの矩形状の開口領域１６ａ，６ｂ，１６ｃ，１６ｄを形成する仕切フレーム１５とから構成されている。
【００４８】
枠フレーム１４は、図３に示すように、当該枠フレーム１４の長手方向を構成する２つの長手枠部１４ａ，１４ａと、枠フレーム１４の短手方向を構成する２つの短手枠部１４ｂ，１４ｂとから構成されている。仕切フレーム１５は、上述したように、略十字状の形状を有している。該仕切フレーム１５は、枠フレーム１４の内側に長手方向に向かって配置される長手仕切部１５ａと、短手方向に向かって配置される２本の短手仕切部１５ｂ，１５ｂとから構成されている。長手仕切部１５ａは、枠フレーム１４の内側の領域を短手方向に沿って等間隔に２分割している。短手仕切部１５ｂは、長手仕切部１５ａによって分割された領域を長手方向に沿って、さらに等間隔に２分割している。これにより、外フレーム１２内には、上下左右それぞれに４分割された開口領域１６ａ，１６ｂ，１６ｃ，１６ｄが形成される（以下、開口領域１６ａ，１６ｂ，１６ｃ，１６ｄをまとめて指す場合には、単に開口領域１６という。）。
【００４９】
また、長手仕切部１５ａの両端の端面は、短手枠部１４ｂの内側の側面にネジ止め等の方法により接合されている。短手仕切部１５ｂ，１５ｂは、その一端側の端面は長手枠部１４ａの内側の側面にネジ止め等の方法により接合されると共に、その他端側の端面は長手仕切部１５ａのうち長手枠部１４ａと対向する側面にネジ止め等の方法により接合されている。長手枠部１４ａ、短手枠部１４ｂ、長手仕切部１５ａおよび短手仕切部１５ｂの材料として、内部に中空部１２ｂ（図６等参照）を有する断面が略正方形のアルミニウム合金Ａ６０６３からなる角パイプが採用されている。しかしながら、長手枠部１４ａ、短手枠部１４ｂ、長手仕切部１５ａおよび短手仕切部１５ｂの材料はアルミニウム合金製の角パイプに限定されるものではない。また、角パイプの肉厚は２ｍｍ以上８ｍｍ以下であるのが好ましい。さらに、図３に示す長手枠部１４ａおよび長手仕切部１５ａの上下方向の幅寸法の大きさ、並びに、短手枠部１４ｂおよび短手仕切部１５ｂの左右方向の幅寸法の大きさは２０以上１５０ｍｍ以下であるのが好ましい。
【００５０】
また、図４に示すように、外フレーム１２は、その背面側（裏面側）に平板状の形体を有する背面部１２ｃを有する。この背面部１２ｃには、略小判形状を呈した抜け穴１７が複数設けられている。該抜け穴１７は、長手枠部１４ａ、短手枠部１４ｂ、長手仕切部１５ａおよび短手仕切部１５ｂの長手方向に沿って所定の間隔を隔てて複数設けられている。本実施の形態では、抜け穴１７の長径の寸法を６０ｍｍとし、短径の寸法を３０ｍｍとしているが、長径および短径の大きさは、当該寸法に限定されるものではない。
【００５１】
なお、外フレーム１２の材料と、スクリーンスピーカ２０の主要部であるスクリーン２２およびフレーム２４の材料との熱膨張率の差を５０％以内としている。また、外フレーム１２の材料と、スクリーンスピーカ２０の主要部であるスクリーン２２およびフレーム２４の材料との湿度による膨張率の差を５０％以内としている。
【００５２】
図５示すように、開口領域１６ａ，１６ｂ，１６ｃ，１６ｄの各領域内には、それぞれ１台づつのスクリーンスピーカ２０が配置される（なお、図５において、開口領域１６ｄに配置されるスクリーンスピーカ２０の図示は省略する。）。また、スクリーンスピーカ２０の上下および左右の外形寸法は、各開口領域１６ａ，１６ｂ，１６ｃ，１６ｄの上下および左右の寸法よりも若干小さく形成されている。これら上下および左右の寸法差は、２ｍｍ以内の範囲であるのが好ましい。このため、スクリーンスピーカ２０を開口領域１６ａ，１６ｂ，１６ｃ，１６ｄ内に配置した状態では、開項領域１６ａ，１６ｂ，１６ｃ，１６ｄを囲む面となる内側面１６ｅとスクリーンスピーカ２０の外周面との間に、上下および左右のそれぞれの方向において隙間Ａ（図７参照）が形成される。本実施の形態では、この隙間Ａの寸法を０．５ｍｍとしているが、当該寸法は０．５ｍｍに限定されるものではなく、１ｍｍ以内の範囲であれば良い。
【００５３】
また、図６に示すように、スピーカ装置１０では、外フレーム１２（枠フレーム１４および仕切フレーム１５）の表面１２ａと、該外フレーム１２と隣接して配置されるスクリーンスピーカ２０におけるスクリーン２２の外周部近傍との間に奥行方向に向かう段差Ｂが生じる場合がある。この段差Ｂは存在しないのがより好ましいが、存在する場合、この段差Ｂは１ｍｍ以内であるのが好ましい。
【００５４】
上述したように、スクリーンスピーカ２０は、その外周面が各開口領域１６ａ，１６ｂ，１６ｃ，１６ｄの内側面１６ｅと上下左右において隙間Ａを有するように各開口領域１６ａ，１６ｂ，１６ｃ，１６ｄ内に配置される。この状態で、スクリーンスピーカ２０を外フレーム１２に対して固定するために、各隙間Ａの内部に充填部材３９が配置される（図７参照）。本実施の形態では、充填部材３９としては、弾力性を有する厚さ約１ｍｍの発泡材が採用され、隙間Ａの内部に配置された後は、外フレーム１２とスクリーンスピーカ２０とに圧縮されて、厚さが約０．５ｍｍになる。なお、充填部材３９は、発泡材に限定されるものではなく、パテもしくはシリコン樹脂等の材料を好適に用いることができる。また、段差Ｂの部分に充填材を配置することで、スクリーン２２と外フレーム１２の表面１２ａとを略同一平面とし、段差Ｂを消滅させるようにしても良い。なお、段差Ｂの部分に充填材を配置する場合、配置後に研磨材等によって充填部分を研磨するのが好ましい。
【００５５】
次に、スクリーンスピーカ２０と外フレーム１２との接合方法について説明する。図８は、スクリーンスピーカ２０と外フレーム１２とをネジ２３を用いて接合した状態を示す図であり、（Ａ）は、その部分的な背面図であり、（Ｂ）は、（Ａ）におけるＣ−Ｃ線で切断した断面図である。
【００５６】
図８（Ｂ）に示すように、スクリーンスピーカ２０の枠体３０と外フレーム１２との対応する位置には、円形の枠用ネジ穴２１ａおよび外用ネジ穴２１ｂがそれぞれ設けられている。これら枠用ネジ穴２１ａおよび外用ネジ穴２１ｂは上下もしくは左右に対向するように設けられている。また、これら枠用ネジ穴２１ａおよび外用ネジ穴２１ｂは、長手枠部１４ａ、短手枠部１４ｂ、長手仕切部１５ａおよび短手仕切部１５ｂのそれぞれの長手方向に所定間隔を隔てて複数設けられている（図８（Ａ）参照）。そして、外フレーム１２の中空部１２ｂからネジ２３を枠用ネジ穴２１ａおよび外用ネジ穴２１ｂに螺入させてネジ止めすることによって、スクリーンスピーカ２０が外フレーム１２に固定される。このネジ止め作業は、抜き穴１７を介してネジ２３を中空部１２ｂ内に入れることによって行われる。なお、枠用ネジ穴２１ａおよび外用ネジ穴２１ｂに螺入されたネジ２３の先端にナット等の締結用金具を取り付けるようにしても良い。
【００５７】
ここで、スクリーンスピーカ２０の外周面と外フレーム１２の開口領域１６ａ，１６ｂ，１６ｃ，１６ｄの内側面１６ｅとの間には０．５ｍｍの隙間Ａが形成されている。このため、枠体３０と外フレーム１２とをネジ２３によってネジ止めすると、枠体３０は隙間Ａがなくなるように外フレーム１２側に向かって引っ張られる。この引っ張りにより、充填部材３９は厚さ方向に圧縮され、スクリーンスピーカ２０と外フレーム１２とが気密な状態で接合される。
【００５８】
また、本実施の形態では、外フレーム１２とスクリーンスピーカ２０との間に段差Ｂが生じないように、外フレーム１２とスクリーンスピーカ２０の奥行方向における位置調整を行いながら該外フレーム１２とスクリーンスピーカ２０との接合作業を行うことが可能である。この際、位置決め部材４０を用いて外フレーム１２とスクリーンスピーカ２０の位置調整を行うことができる。
【００５９】
以下、位置決め部材４０による位置調整の詳細について説明する。図９は、位置決め部材４０による外フレーム１２とスクリーンスピーカ２０との位置調整を説明するためのスピーカ装置１０を上から見た部分的な平面透視図である。
【００６０】
図９に示すように、位置決め部材４０は略中央部に凹形状の段差部４０ａを備えた板状部材である。段差部４０ａの左右方向の幅は外フレーム１２の左右方向の幅と略同一とされている。また、段差部４０ａは、図９における紙面手前奥方向に向かって切り欠かれるように形成されている。段差部４０ａの深さＤは、外フレーム１２とスクリーンスピーカ２０の奥行方向の幅寸方差Ｅと略同一に形成されている。また、位置決め部材４０における段差部４０ａ以外の部分にはネジ穴４０ｂが形成されている。また、枠体３０にもネジ穴４０ｂと略同一の直径を有するネジ穴３０ｃが形成されている。なお、枠フレーム１４の裏側に配置される位置決め部材４０には、一端側にのみネジ穴４０ｂが形成されており、仕切フレーム１５の裏側に配置される位置決め部材４０には、左右両端にネジ穴４０ｂが形成されている。
【００６１】
外フレーム１２とスクリーンスピーカ２０との位置調整を行うためには、対向する外フレーム１２の背面部１２ｃに位置決め部材４０を対向配置させる。この際、段差部４０ａに外フレーム１２の背面部１２ｃが嵌まり込むと共に、ネジ穴４０ｂとネジ穴３０ｃとが同一軸線上となるように位置決め部材４０を外フレーム１２の裏側に配置させる。この状態では、位置決め部材４０の上端面４０ｃが枠体３０の裏面３０ｅと当接する。ここで、段差部４０ａの深さＤと幅寸方差Ｅは略同一に形成されているため、位置決め部材４０を外フレーム１２の裏側に配置させるとスクリーン２２と外フレーム１２の表面１２ａには段差が形成されず略面一となる。また、不図示のネジで位置決め部材４０と外フレーム１２とをネジ止めし、かつネジ４２を位置決め部材４０の裏側からネジ穴４０ｂおよびネジ穴３０ｃに螺入することにより位置決め部材４０が外フレーム１２の裏側に固定され、スクリーン２２と外フレーム１２の表面１２ａとの略面一状態が維持される。そして、この状態で隙間Ａに充填部材３９を配置することで、外フレーム１２とスクリーンスピーカ２０とを段差を有しない状態で固定することが可能となる。固定後には、位置決め部材４０から不図示のネジおよびネジ４２を抜くことで、該位置決め部材４０を外フレーム１２から取り外すことができる。なお、位置決め部材４０を用いることにより、段差Ｂの大きさを０．５ｍｍ以内にすることが可能である。
【００６２】
以上のように構成されたスピーカ装置１０では、外フレーム１２を組み立てた後、該外フレーム１２に形成される開口領域１６にスクリーンスピーカ２０を配置させることでスピーカ装置１０を得ることができる。このため、スピーカ装置１０の輸送・搬入作業が容易となると共に、設置作業も容易となる。また、外フレーム１２を室内に設けられる壁面等の構造物に予め取り付け、該取り付けた状態でスピーカ装置１０を組み立てることが可能となるため、組立後に重量の大きなスピーカ装置１０を設置場所まで運ぶ必要がなくなる。また、外フレーム１２を組み立てた後、開口領域１６ａ，１６ｂ，１６ｃ，１６ｄに、別々、スクリーンスピーカ２０を取り付けることが可能である。このため、例えば、数名で同時にスクリーンスピーカ２０を取り付けることが可能であり、取付時間の短縮化を図ることが可能となる。
【００６３】
また、スピーカ装置１０では、スクリーンスピーカ２０のフレーム２４は自重のみを支持すれば充分であるため、フレーム２４にはあまり大きな負荷がかかることがない。したがって、フレーム２４の断面形状を小さくすることができ、その結果、スクリーンスピーカ２０の薄型化および軽量化を図ることができると共に、製造コストの削減を図ることが可能となる。さらに、外フレーム１２は分解可能な構成となっている。したがって、梱包・輸送・設置を容易に行えるスピーカ装置を提供できる。また、スクリーンスピーカ２０の薄型化および軽量化を図ることが可能であるため、スクリーンスピーカ２０の製造作業が容易となり、コストの削減を図ることが可能となる。
【００６４】
また、スピーカ装置１０では、スクリーン２２をフレーム２４の外形寸法よりも若干小さく形成している。このため、スクリーン２２およびフレーム２４のそれぞれの直角度等の加工精度が完全でない場合でも、スクリーン２２がフレーム２４からはみ出るのを防止できる。また、スクリーン２２がフレーム２４よりはみ出さないことで、厚みの小さいスクリーン２２であっても、製造工程や輸送・組立作業中にスクリーン２２の外周部が凹んだり曲がったりすること等のスクリーン２２の破損を防止することができる。このため、スクリーンスピーカ２０を外フレーム１２に取り付けた際の外フレーム１２の表面１２ａとスクリーン２２の表面との間に段差Ｂが生じるのを防止できる。
【００６５】
また、スピーカ装置１０では、段差Ｂの大きさが１ｍｍ以内となるように構成されているため、例えば、スピーカ装置１０を対角１５０インチサイズのスクリーンスピーカとし、視聴距離約４ｍで視聴しても段差Ｂが目立つことがない。このため、スピーカ装置１０を一般的に視聴した場合、スクリーンに暗線等が現れるのを防止できる。
【００６６】
また、スピーカ装置１０では、隙間Ａの大きさが１ｍｍ以内となるように構成されている。このため、例えば、隙間Ａに充填材を配置すると共に、その表面を処理して組み立てた対角１５０インチサイズのスピーカ装置１０を視聴距離約４ｍで視聴しても、隙間Ａの部分が目立つことがなくなる。したがって、スピーカ装置１０を一般的に視聴した場合、スクリーンの隙間Ａの部分に処理跡等が残るのを防止できる。
【００６７】
また、スピーカ装置１０では、隙間Ａに充填部材３９を配置することで、当該隙間Ａを塞いでいるため、隙間Ａが目立つのを防止できる。また、幅０．５ｍｍの隙間Ａに対して充填部材３９を弾力性のある厚さ約１ｍｍの発泡材としているため、組立前に予め外フレーム１２またはスクリーンスピーカ２０に充填部材３９を固定しておくことができ、組立後に充填部材３９を挿入する場合と比較して、容易に意匠性の向上を図ることが可能となる。
【００６８】
また、スピーカ装置１０では、外フレーム１２を構成する長手枠部１４ａ、短手枠部１４ｂ、長手仕切部１５ａおよび短手仕切部１５ｂの材料として、角パイプが用いられている。このように、既製品である角パイプを用いることにより、材料の入手が容易となる。また、角パイプは既製品の中では種類が豊富であるため必要に応じて選択の余地が広くなり、その結果、製造コストを削減できる。また、軽量で、かつ曲げ剛性およびねじり剛性が高いため、軽量化を図ると共に、強度および寸法精度の向上を図ることが可能となる。
【００６９】
また、スピーカ装置１０では、外フレーム１２の肉厚を２ｍｍ以上８ｍｍ以下の範囲としているため、タップ等の工具を用いたネジ加工を行うことが可能となる。また、この範囲の肉厚の場合、既製品の種類が豊富であると共に、比較的軽量でかつある程度の強度を有するため、軽量化を図りつつ、強度の向上を図ることが可能である。また、作業性の向上を図ると共に、製造コストの削減を図ることが可能である。
【００７０】
また、スピーカ装置１０では、外フレーム１２の見付巾の寸法を２０ｍｍ以上１５０ｍｍ以下としている。ここで、２０ｍｍの見付巾は、外フレーム１２の内側よりスクリーンスピーカ２０を取り付けるための略最小の寸法であり、１５０ｍｍの見付巾は既製の各種材料が使用できる最大の寸法である。したがって、作業性の向上を図ることができると共に、製造コストを削減できる。
【００７１】
また、スピーカ装置１０では、枠体３０および外フレーム１２には、枠用ネジ穴２１ａおよび外用ネジ穴２１ｂがそれぞれ設けられている。このため、外フレーム１２の中空部１２ｂからネジ２３を螺入して、スクリーンスピーカ２０を外フレーム１２に対してネジ止め固定することが可能となる。したがって、製造コストを削減できると共に、作業性が向上する。また、スクリーン２２の張力の調整をネジの止めの具合を調節することにより容易に行うことが可能となる。
【００７２】
また、スピーカ装置１０では、外フレーム１２の背面部１２ｃに、抜け穴１７が複数設けられている。このため、抜け穴１７を介して外フレーム１２とスクリーンスピーカ２０の固定作業を行うことができ、作業性の向上を図ることが可能である。
【００７３】
また、スピーカ装置１０では、位置決め部材４０によって、段差Ｂの大きさを０．５ｍｍ以内にすることが可能である。このため、スピーカ装置１０を一般的な視聴距離で視聴しても段差Ｂが目立つことがなくなり、スピーカ装置１０の大型スクリーンに暗線等が現れるのを防止できる。
【００７４】
また、スピーカ装置１０では、外フレーム１２およびフレーム２４の材料として、アルミニウム合金Ａ６０６３が採用され、スクリーン２２の材料としてアルミニウム合金アルミニウム合金Ａ５０５２が採用されている。また、締結用のネジ２３の材料としては、ステンレス鋼ＳＵＳ３０４が採用されている。ここで、アルミニウム合金Ａ６０６３およびＡ５０５２の熱膨張率は２３×１０−６であり、ステンレス鋼ＳＵＳ３０４の熱膨張率は１６×１０−６である。したがって、外フレーム１２の材料と、スクリーンスピーカ２０の主要部であるフレーム２４およびスクリーン２２の材料との熱膨張率の差は５０％以内となっている。また、外フレーム１２の材料とスクリーンスピーカ２０の主要部の材料は、それぞれアルミニウム合金とされている。金属部材は湿度の変化により形状が変形することがないことから、外フレーム１２の材料と、スクリーンスピーカ２０の主要部の材料との湿度による膨張率の差は５０％以内となっている。したがって、外フレーム１２およびスクリーンスピーカ２０が熱や湿度によって膨張もしくは収縮するのを防止できる。このため、スピーカ装置１０を組み立てる際に外フレーム１２もしくはスクリーンスピーカ２０が膨張もしくは収縮して、組立が不可能となるのを防止できる。また、スクリーンスピーカ２０が膨張もしくは収縮することにより音響特性に悪影響がでるのを防止できる。
【００７５】
（第２の実施の形態）
次に、本発明の第２の実施の形態に係るスピーカ装置５０について、図面を参照しながら説明する。なお、第２の実施の形態に係るスピーカ装置５０において、第１の実施の形態と共通する部分については、同一の符号を付すと共にその説明を省略または簡略化する。また、本実施の形態では、スクリーンスピーカ５２の構成が相違するため当該部分について主に説明する。
【００７６】
図１０は、スクリーンスピーカ５２を背面側から見た斜視図である。図１１は、スピーカ装置５０を組み立てる工程を示す図であり、スクリーンスピーカ５２を外フレーム１２に配置する工程を示す図である。なお、図１０においては、支柱３６およびボイスコイルの図示を省略する。
【００７７】
スピーカ装置５０は、４台のスクリーンスピーカ５２を外フレーム１２の開口領域１６内に配置することにより構成される。スクリーンスピーカ５２は、スクリーン５４と、フレーム２４と、支柱３６と駆動体を有する。図１０に示すように、スクリーン５４は、その外周面が、枠体３０からはみ出すように、フレーム２４の表側に取り付けられる。このはみ出した部分となるはみ出し部５６の幅は、外フレーム１２の見付巾の半分とするのが好ましい（図１１参照）。具体的には、長手枠部１４ａおよび長手仕切部１５ａの上下方向の幅寸法の大きさ、並びに、短手枠部１４ｂおよび短手仕切部１５ｂの左右方向の幅寸法の大きさの半分の大きさとするのが好ましい。しかしながら、このはみ出し部５６の幅は、外フレーム１２の見付巾より小さい範囲で調節することが可能である。
【００７８】
スクリーンスピーカ５２は、外フレーム１２の上下左右に設けられた開口領域１６にそれぞれ配置される。はみ出し部５６の大きさは、外フレーム１２の見付巾の半分とされているため、はみ出し部５６が外フレーム１２の表面１２ａにおいて重なることはなく、その端面５６ａが表面１２ａ上で隙間なく接触した状態となる。
【００７９】
以上のように構成されたスピーカ装置５０では、スクリーン５４により外フレーム１２の表面１２ａが覆われる。このため、外フレーム１２の表面１２ａに凹みや傷があったとしても外観に支障をきたすことがなくなる。このため、外フレーム１２の材料をスクリーン５４と類似したものを用いる必要がなくなる。また、はみ出し部５６によって、外フレーム１２と枠体３０との境界部分が隠れるため、段差等を有することのない表面が略平坦なスクリーンを容易に作製することができる。
【００８０】
（第３の実施の形態）
次に、本発明の第３の実施の形態に係るスピーカ装置６０について、図面を参照しながら説明する。なお、第３の実施の形態に係るスピーカ装置６０において、第１の実施の形態と共通する部分については、同一の符号を付すと共にその説明を省略または簡略化する。また、本実施の形態では、スクリーンスピーカ５２と外フレーム１２との接合方法が相違するため当該部分について主に説明する。
【００８１】
図１２は、スクリーンスピーカ２０と外フレーム１２とを補強部材６２を用いて接合した状態を部分的に示す平面断面図である。
【００８２】
図１２に示すように、スピーカ装置６０は、スクリーンスピーカ２０を外フレーム１２の開口領域１６内に配置することにより構成される。スクリーンスピーカ２０と外フレーム１２との接合は、受止部となる補強部材６２をスクリーンスピーカ２０および外フレーム１２の裏側に配置させてネジ止めすることによって行われる。補強部材６２は平板状の形態を有している。補強部材６２は、長手枠部１４ａおよび短手枠部１４ｂのそれぞれとスクリーンスピーカ２０との接合を行うための枠用補強部材６２ａと、長手仕切部１５ａおよび短手仕切部１５ｂのそれぞれとスクリーンスピーカ２０との接合を行うための仕切用補強部材６２ｂの２種類を有する。枠用補強部材６２ａには、左右方向のいずれか一端側にのみにネジ穴６５ａが形成されている。仕切用補強部材６２ｂには、左右両側にネジ穴６５ｂが形成されている。これらネジ穴６５ａ，６５ｂは、例えば、枠用補強部材６２ａおよび仕切用補強部材６２ｂのそれぞれに紙面手前奥方向に向かって２つ並んで設けることが可能である。
【００８３】
また、枠体３０の背面部３０ｄには、補強部材６２が配置される位置と対応するようにネジ穴６６が形成されている。枠用補強部材６２ａは、長手枠部１４ａおよび短手枠部１４ｂのそれぞれの裏側に不図示のネジを用いて取り付けられる。仕切用補強部材６２ｂは、長手仕切部１５ａおよび短手仕切部１５ｂのそれぞれの裏側に不図示のネジを用いて取り付けられる。図１２に示すように、枠用補強部材６２ａは、その一端が開口領域１６側に向かって突出するように取り付けられる。また、仕切用補強部材６２ｂは、その一端および他端がそれぞれ対向する開口領域１６側に向かって突出するように取り付けられる。なお、補強部材６２を外フレーム１２と別部材とすることなく、外フレーム１２と一体的に設けるようにしても良い。
【００８４】
外フレーム１２とスクリーンスピーカ２０の接合は、枠用補強部材６２ａおよび仕切用補強部材６２ｂを外フレーム１２の裏側に取り付けた状態で、スクリーンスピーカ２０を各開口領域１６に配置させた後、枠用補強部材６２ａおよび仕切用補強部材６２ｂをネジ６７によってスクリーンスピーカ２０にネジ止めすることにより行われる。具体的には、スクリーンスピーカ２０の枠体３０の裏面３０ｅが補強部材６２に当接する形で各開口領域１６に配置させた後、枠用補強部材６２ａ裏側からネジ６７をネジ穴６５ａおよびネジ穴６６に螺入させると共に、仕切用補強部材６２ｂの裏側からネジ６７をネジ穴６５ｂおよびネジ穴６６に螺入させることによって行われる。
【００８５】
以上のように構成されたスピーカ装置６０では、補強部材６２に螺入されたネジ６７による張力によって、スクリーンスピーカ２０が補強部材６２に密着した状態で固定される。一般的に、スクリーンスピーカ２０は、スクリーン２２の前方の空気を振動させて音を放射するため、スクリーンスピーカ２０自身にもその反力として前後方向の振動が発生する。したがって、スクリーンスピーカ２０は外フレーム１２に対して前後方向に向かって強固に固定するのが望ましい。上述したように、スクリーンスピーカ２０は補強部材６２によって前後方向に強固に固定されるため、音響特性の向上を図ることが可能となる。また、ネジ止めといった簡単な方法により、スクリーンスピーカ２０を外フレーム１２に固定できるため作業性の向上を図ることが可能となる。
【００８６】
（第４の実施の形態）
次に、本発明の第４の実施の形態に係るスピーカ装置７０について、図面を参照しながら説明する。なお、第４の実施の形態に係るスピーカ装置７０において、第１の実施の形態と共通する部分については、同一の符号を付すと共にその説明を省略または簡略化する。また、本実施の形態では、スクリーンスピーカ２０と外フレーム１２との位置調整の方法が相違するため当該部分について主に説明する。
【００８７】
図１３は、スクリーンスピーカ２０と外フレーム１２とを調節部材７２を用いて位置調節をした状態を部分的に示す平面断面図である。
【００８８】
図１３に示すように、スピーカ装置７０は、スクリーンスピーカ２０を外フレーム１２の開口領域１６内に配置することにより構成される。図１３に示すように、調節部材７２は、略矩形状の形態を有する板状部７３と、取付ボルト７４と、ボルト頭を有しない調節ボルト７５とを有する。板状部７３における右端部近傍には左右に並ぶように２つのボルト穴７５ａ，７５ｂが並設されている。なお、ボルト穴７５ａ，７５ｂのそれぞれを紙面手前奥方向に向かって２つずつ等複数設けることが可能である。板状部７３は、不図示のネジにより外フレーム１２の背面側にネジ止め固定される。板状部７３は、その右端が外フレーム１２から右方に向かって突出するように外フレーム１２の背面側に取り付けられる。また、ボルト穴７５ａには取付ボルト７４が螺入されると共に、ボルト穴７５ｂには調節ボルト７５が螺入される。さらに、枠体３０の背面部３０ｄには、調節部材７２が配設される位置と対応するようにボルト穴７６が形成されている。このボルト穴７６は枠体３０において対向するように形成されている。
【００８９】
外フレーム１２とスクリーンスピーカ２０との位置調整を行うためには、対向する外フレーム１２の裏側に板状部７３を対向配置させる。具体的には、板状部７３を外フレーム１２の裏側に不図示のネジによりネジ止め固定する。次に、調節ボルト７５をボルト穴７５ｂに螺入させて、板状部７３からの突出量を調節する。この調節は、開口領域１６にスクリーンスピーカ２０を配置した状態で、スクリーン２２と外フレーム１２の表面１２ａとの間に段差Ｂが発生せず両者が略面一となるように行う。そして、段差Ｂが発生しないように、スクリーンスピーカ２０と外フレーム１２との位置調整がなされたら、取付ボルト７４を板状部７３の背面側からボルト穴７５ｂ、ボルト穴７６に順次螺入していく。すると、スクリーンスピーカ２０と外フレーム１２との奥行方向の位置調整が行われた状態が維持される。次に、図８に示したように、中空部１２ｂの内部から外フレーム１２と枠体３０をネジ止め固定して、スクリーンスピーカ２０と外フレーム１２とを接合する。その後、取付ボルト７４をボルト穴７６から抜いて、取付ボルト７４と背面部３０ｄとの係合状態を解除すると共に、不図示のネジを板状部７３から抜いて、調節部材７２をスピーカ装置７０から取り外す。すると、スピーカ装置７０のスクリーンに段差Ｂがない状態となる。なお、調節部材７２を用いることにより、段差Ｂの大きさを０．５ｍｍ以内にすることが可能である。
【００９０】
以上のように構成されたスピーカ装置７０では、調節部材７２は調節ボルト７５の突出量を調節することができるため、各部品の厚さ方向の寸法精度が低い場合であっても、容易にスクリーンスピーカ２０と外フレーム１２との奥行方向の位置調整を行うことが可能となる。また、突出量は微調整できるため、スクリーンスピーカ２０と外フレーム１２との奥行方向の位置調整を高い精度で行うことが可能となる。その結果、段差Ｂが発生するのをより確実に防止することが可能である。このため、スピーカ装置７０を一般的な視聴距離で視聴しても段差Ｂが目立つことがなくなり、スクリーンに暗線等が現れるのを防止できる。また、調節部材７２は、外フレーム１２に対して着脱可能であるため、スピーカ装置７０を組み立てる際、１つのスクリーンスピーカ２０の位置調整に必要な部数のみを用意すれば良くなる。また、調節部材７２を別のスピーカ装置を組み立てる際に、再利用することが可能となる。その結果、コストの削減を図ることが可能となる。
【００９１】
以上、本発明の一実施の形態について説明したが、本発明は上述の形態に限定されることなく、種々変形した形態にて実施可能である。
【００９２】
上述の各実施の形態では、長手枠部１４ａ、短手枠部１４ｂ、長手仕切部１５ａおよび短手仕切部１５ｂの材料として、断面が略正方形の角パイプを採用したが、これらの材料は断面が略正方形の角パイプに限定されるものではなく、断面が略長方形の角パイプとしても良い。また、図１４に示すように、凹状の溝部８０が形成された凹状部８１の両開口端８２が内側に向かって所定の長さだけ折り曲がった断面形状のパイプを用いても良い。また、図１５に示すように、凹状の溝部８０を有する断面凹形状のパイプを用いても良い。凹状の溝部８０を有する一端が開口したタイプのパイプを用い、その開口側を背面側に位置させることにより、背面側からスピーカ装置１０，５０，６０，７０の組立作業を行うことができるようになる。その結果、作業性が向上する。
【００９３】
また、上述の各実施の形態では、外フレーム１２の裏側には、強度を補強するための補強部材が設けられていないが、図１６に示すように、外フレーム１２の上部に長手方向全体に渡って略直方体形状の補強体８４を取り付けるようにしても良い。なお、補強体８４は外フレーム１２の上部に配置するのに限定されるものではなく、外フレーム１２の左右もしくは下部に取り付けるようにしても良い。また、外フレーム１２の上下左右全体に取り付けるようにしても良い。また、補強体８４は外フレーム１２の長手方向全体に渡って取り付けることに限定されず、分割して、複数箇所に取り付けるようにしても良い。このような構成により、スピーカ装置１０，５０，６０，７０が撓むのを効果的に防止できると共に、比較的薄型や小型なものであっても剛性を向上させることが可能となる。
【００９４】
また、図１６に示すように、不図示のアンプから伸びて駆動体に接続される駆動信号を送信するための配線８５を、抜き穴１７から外フレーム１２の中空部１２ｂに導き、該中空部１２ｂ内を這わせて駆動体に接続するような構成としても良い。このような構成により、各配線８５をそのまま直接アンプ等に接続したり、束ねてスピーカ装置の裏面に固定する場合と比較して、美観に優れ、作業中に配線が絡むことがなくなる。その結果、作業性が向上し、配線８５の接続ミスが起きにくくなると共に、配線８５が傷つくのを防止できる。また、配線８５を固定するための固定部材を必要とせず、薄型化を図ることが可能となると共に、製造コストを削減できる。また、配線８５の接触により異常音の発生を防止できる。また、空中の電磁波等によるノイズを受けにくくなる。
【００９５】
また、上述の各実施の形態では、４台のスクリーンスピーカ２０，５２を外フレーム１２に配置することによりスピーカ装置１０，５０，６０，７０が構成されているが、配置されるスクリーンスピーカ２０，５２は４台に限られることなく、スクリーンスピーカ２０，５２の数を５つ以上としても良いし、３つ以下としても良い。また、異なる大きさのスクリーンスピーカ２０，５２を複数組み合わせてスピーカ装置１０、５０，６０，７０を構成するようにしても良い。この場合、配置されるスクリーンスピーカ２０，５２に適合させて、外フレーム１２の構成を適宜変更する必要がある。
【００９６】
また、上述の各実施の形態では、分割領域３４ａ，３４ｂ，３４ｃは、フレーム２４の内部に３つ設けられているが、３つに限らず、２つあるいは、４つ以上としても良い。さらには分割しなくても良い。また、仕切り３２を枠体３０の短手方向および長手方向に複数配置させ、仕切り３２のみによって囲まれた部分を分割領域とするようにしても良い。
【００９７】
また、上述の各実施の形態では、スピーカ装置１０，５０，６０，７０の表面に、１枚または複数枚の表面シートが貼り付けられていない。しかしながら、光拡散反射性および平坦性を向上させるために、これら表面シートをスピーカ装置１０，５０，６０，７０の表面に貼り付けるようにしても良い。
【００９８】
また、上述の各実施の形態では、枠体３０の内の対向する２辺をスクリーンスピーカ２０に接合しているが、接合する辺は対向する辺に限定されるのもではない。
【産業上の利用可能性】
【００９９】
本発明のスクリーンスピーカは、スクリーンの全面より音を放出するスピーカ等の音響変換装置において利用することができる。
【図面の簡単な説明】
【０１００】
【図１】本発明の第１の実施の形態に係るスピーカ装置の斜視図である。
【図２】図１中のスクリーンスピーカの分解斜視図である。
【図３】本発明の第１の実施の形態に係るスピーカ装置の筐体となる外フレームの斜視図である。
【図４】図３に示す外フレームを部分的に示す背面図である。
【図５】本発明の第１の実施の形態に係るスピーカ装置を組み立てる工程の概略を示す図であり、スピーカ装置を外フレームに配置する工程を示す図である。
【図６】本発明の第１の実施の形態に係るスピーカ装置の平面図であり、スクリーンスピーカと外フレームとの間に段差が生じた場合を示す図である。
【図７】図１中のスクリーンスピーカと外フレームとの間に生じた隙間Ａに充填部材を配置したスピーカ装置の部分的な平面断面図である。
【図８】図１中のスクリーンスピーカと外フレームとをネジを用いて接合した状態を部分的に示す図であり、（Ａ）は、その部分的な背面図であり、（Ｂ）は（Ａ）におけるＣ−Ｃ線で切断した断面図である。
【図９】位置決め部材による図１中の外フレームとスクリーンスピーカとの位置調整を説明するための部分的な平面透視図である。
【図１０】本発明の第２の実施の形態に係るスクリーンスピーカを背面側から見た斜視図である。
【図１１】本発明の第２の実施の形態に係るスピーカ装置を組み立てる工程を示す図であり、スクリーンスピーカを外フレームに配置する工程を示す図である。
【図１２】本発明の第３の実施の形態に係るスピーカ装置において、スクリーンスピーカと外フレームとを補強部材を用いて接合した状態を部分的に示す平面断面図である。
【図１３】本発明の第４の実施の形態に係るスピーカ装置において、スクリーンスピーカと外フレームとを調節部材を用いて位置調節をした状態を部分的に示す平面断面図である。
【図１４】本発明のスピーカ装置に用いられる外フレームの変形例を示す図である。
【図１５】本発明のスピーカ装置に用いられる外フレームの変形例を示す図である。
【図１６】本発明の変形例を示す図であり、補強体を配置すると共に、配線を中空部内に収容した場合を示す図である。
【符号の説明】
【０１０１】
１０，５０，６０，７０…スピーカ装置
１２…外フレーム
１２ａ…表面（表側の面）
１２ｂ…中空部
１２ｃ…背面部
１４…枠フレーム
１５…仕切フレーム
１６ａ，１６ｂ，１６ｃ，１６ｄ…開口領域
１７…抜け穴
２０，５２…スクリーンスピーカ
２１ａ…枠用ネジ穴
２１ｂ…外用ネジ穴
２２…スクリーン（振動板）
２３…ネジ
２４…支持体（フレーム）
３０…枠体
３１…開口部
３８…磁気回路（駆動体の一部）
３９…充填部材
４０…位置決め部材
６２…補強部材（受止部）
７２…調節部材
８０…溝部
８１…凹状部
８２…開口端
８４…補強体
８５…配線
Ａ…隙間
Ｂ…段差
【図１】
2009267735.tif 000003
【図２】
2009267735.tif 000004
【図３】
2009267735.tif 000005
【図４】
2009267735.tif 000006
【図５】
2009267735.tif 000007
【図６】
2009267735.tif 000008
【図７】
2009267735.tif 000009
【図８】
2009267735.tif 000010
【図９】
2009267735.tif 000011
【図１０】
2009267735.tif 000012
【図１１】
2009267735.tif 000013
【図１２】
2009267735.tif 000014
【図１３】
2009267735.tif 000015
【図１４】
2009267735.tif 000016
【図１５】
2009267735.tif 000017
【図１６】
2009267735.tif 000018